(57)【要約】      （修正有）【課題】開放型太陽熱温水器で発生する湯水を、自動操作で適温適量にして湯張りを行い、使用者を湯張りから解放する自動湯張り装置を提供する。【解決手段】事前に設定温度及び設定湯水量を定め、太陽熱温水器３で発生する湯温をサーミスタ４で検知し、前記湯温が前記設定温度以上の際には、給湯電磁弁を開いて太陽熱温水器３から湯水を浴槽へと供給して湯張りを行い、前記湯温が前記設定温度以下の際には、給湯電磁弁を閉じて湯張りを中断し、太陽熱温水器３で湯水の再発生を行う、自動湯張り装置６を用いる。さらに、供給される湯水量を測定する流量計を設け、前記設定湯水量に達するまで湯張りを行った後に太陽熱温水器３で発生する湯水は給湯装置６ａを用いて供給する。【選択図】図１
2014074580.tif 000002
【特許請求の範囲】
【請求項１】
前記自動湯張り装置で湯水が高温に発生することをふせぐ湯張り温度設定値を設け、湯張り温度設定値以上の温度と湯張り温度設定値以下の温度の中で、発生と吐出を繰り返す湯水の発生間隔を短縮し、湯張温度設定値以上の湯水を先行して浴槽への落とし込む湯水の温度は一定し、湯張る湯数量も一定すると浴槽から溢れ出ることもないので使用者に安心感を与えることができることを特徴とする太陽熱温水器を用いた前記自動湯張り装置。
【請求項２】
自動的に前記自動湯張り装置を給湯装置に切り替えて点燈する前記給湯装置は、湯張り温度設定器液晶パネルに示す設定値を除いて、自動的に電源スイッチ液晶パネルに示す湯水の温度と、湯張り数量設定器液晶パネルに示す設定値をリセットして、太陽熱温水器に内設する温度計で湯水の温度を再検出し、電源スイッチ液晶パネルに湯水の温度を新たに示し、湯張り数量設定器液晶パネルに、前記給湯装置が保存する湯水量の設定値を新たに示して記憶すると、電源スイッチをオフして浴槽への湯張りを終了することを特徴とする請求項１記載の太陽熱温水器を用いた前記自動湯張り装置。
【請求項３】
湯張りを終了し後も、太陽熱温水器で貯湯する、リセットされた湯張り温度設定値前後の湯水を発生して、夜入浴したときに浴室給湯に堤供する湯水は、従来の太陽熱温水器で発生する湯水量の不足を解決し、湯水が高温に発生したときでも洗髪やシヤワー等に堤供する湯水の温度を適温に調整する手段を備え、常圧を超える給湯圧を有し吐出する湯水の使い勝手が向上するとともに、電気やガス等を用いる補助熱源器の運転を軽減することを特徴とする請求項１記載の太陽熱温水器を用いた前記自動湯張り装置。
【請求項４】
太陽熱温水器に貯湯するリセットされた湯水を連続して使用すると流量計で、湯張り数量設器液晶パネルに示す湯水量のマイナスカウントし、ゼロを示す前に警報装置から音声で使用者に湯水量の減量と、太陽熱温水器に給水を促し、自動的に給湯ポンプと電磁弁を止めて湯水の提供は終了する、使用者は太陽熱温水器の給水バルブを手動で開きおくと注入する水温を温度計で検出し、湯張り温度設定器で注水を確認すると、自動的に湯水量を前記給湯装置の所定置に戻し、前記自動湯張り装置に切り替えて戻すと、自動的に電源スイッチをオフして終了することを特徴とする請求項１記載の太陽熱温水器を用いた前記自動湯張り装置。
【請求項５】
前記自動湯張り装置本体を貫通する給湯管の上部で分岐する水平管に、常閉バルブを設けるバイパス回路を形成する立て管は、通水時エアポケット状態になる手段は、給湯ポンプや電磁弁と逆止弁などの運転時に起きる水撃波や騒音を緩和するエアクッション的に働き水撃による装置の誤作動や部品の破損を防ぐことを特徴とする請求項１〜４記載のいずれか１項に記載の太陽熱温水器を用いた前記自動湯張り装置。
【発明の詳細な説明】
【技術分野】
【０００１】  本発明は、自動湯張り装置と給湯装置に関する。
【背景技術】
【０００２】  一般家庭で用いる従来の太陽熱温水器で発生する湯水は、主に夜入浴するため夕食前後の時間に浴槽への落とし込む湯水は、高温に発生すると上水で薄め適温適量に、湯・水のバルブを閉じるタイミングが問題で見逃すと温度を下げつつ吐出し、再発生する必要が生じると電気やガス等を用いる補助給湯装置を運転することになる、また、湯水を洗髪やシヤワー等に使用すると重力で吐出する湯水は湯圧が低いことに起因し湯温が一定しないことや湯水量の不足とか、太陽熱温水器の湯水の温度を知る方法もないために、発生した湯水があるにもかかわらず、湯温が安定し使い勝手のよい電気やガス等を用いる補助給湯装置から給湯することもしかたのないことであった。【０００３】  特許文献１には太陽熱温水器の湯を、適法に、火傷の危険性のない適温の湯に調整して吐出することのできる風呂給湯システムを提供する、と示されている。【０００４】
【先行技術文献】
【特許文献】
【０００５】
【特許文献１】公開平９−２６０９２公報
【発明の概要】
【発明が解決しようとする課題】
【０００６】  本発明は、このように従来の構成が有していた問題を解決しようとするものであり、従来の手動で行う湯張り方法から、電気を用いて浴槽への湯張る湯水が高温に発生することを制御する手段を備え、自動的に適温・適量の湯水を浴槽への湯張り設定水位に達すると自動的に湯張りを終了すると、湯水が浴槽より溢れ出ることをふせぎ、太陽熱温水器の湯水の温度を確認することや湯張りにかかわる問題を解決することを、第１の課題として実現することを目的とするものである。【０００７】  本発明は、湯張りを終了すると、太陽熱温水器に貯湯する湯張り適温前後の湯水を、発生し夜入浴したときに浴室給湯に堤供する湯水は、太陽熱温水器に湯水の追加をもたらし、従来の太陽陽温水器で発生する湯水の量の不足を解決すると、電気やガス等を用いる補助給湯装置の運転を軽減し、省エネする湯水を増量して給湯に関わる湯圧が低いことに起因する問題等を解決し使い勝手のよい湯水を提供することを、第２の課題として実現することを目的とするものである。【０００８】  このように太陽熱温水器と給湯装置が連結し構成する手段は、浴槽への湯張る湯水はポンプで循環するため停電や故障すると浴槽へ湯を張ることができない。また、浴室給湯に供給する湯水は電気やガス等を用いる給湯機を運転し提供している。（例えば特許文献１参照。）。【０００９】
【課題を解決する手段】
【００１０】  そして、本発明は上記第１の目的を達成するために太陽熱温水器を用いた自動湯張装置は、遠隔制御するリモコンに、電源スイッチ液晶パネルと、湯張り温度設定器液晶パネルと、湯張り数量設定器液晶パネルを配設し、太陽熱温水器に湯水の温度を検出する温度計を内設し、自動湯張り装置本体を貫通する給湯管の上部で分岐する水平管に常閉バルブを設け、バイパス回路を形成する手段と、第１常開バルブの下に、ストレーナと、電磁弁と、流量計と、逆止弁付きバキーュムブレーカを配設し、第２常開バルブの下でバイパス回路と合流する給湯管は、図１の温度調節弁付き水栓と接続する、同水栓の給湯バルブは開き置いても湯水が吐出しない手段を備えて、湯張りを先行するように構成としたものである。
【００１１】  第１の課題解決手段による作用は次の通りである。すなわち、太陽熱温水器で、発生する湯水を、自動的に浴槽への落とし込み湯張りを先行する手段は、前記遠隔制御するリモコンの電源スイッチをオンすると、太陽熱温水器に内設する温度計で湯水の温度を検出し、電源スイッチ液晶パネルに湯水の温度を示す。次に、湯張り温度設定器に、浴槽への湯水を落とし込む温度を設定すると液晶パネルに設定値を示す。その次に、湯張り数量設定器に、浴槽への湯水を落とし込む湯水量を設定し液晶パネルに設定値を示すと、前記自動湯張り装置によって電磁弁を開き湯張りはじめる準備は整う。しかし、電源スイッチ液晶パネルに示す湯水の温度が、湯張り温度設定器液晶パネルに設定値以下の湯水の温度を示しつづけている間は、電磁弁を閉じ太陽熱温水器から湯水の吐出をふせぎ待機する。太陽熱温水器は、引きつづき湯張り温度設定値以下の湯水の発生を行い、電源スイッチ液晶パネルに湯張り温度設定値以上の湯水の温度を示すと、電源スイッチは、前記自動湯張り装置に電磁弁を開くように指示すると、前記自動湯張り装置は、電源スイッチ液晶パネルに示す湯水の温度が、湯張り温度設定器液晶パネルに示す設定値以上に発生した湯水の温度を確認し、電磁弁を開くと太陽熱温水器の湯水は前記自動湯張り装置を貫通する給湯管上部に設ける分岐したバイパス回路に流入せず、第１常開バルブを介し、ストレーナで錆など除去し、開かれた電磁弁を通り流量計で湯水の量をカウントして、逆止弁付きバキーュムブレーカを通過して温度調節弁付き水栓の開きおいた給湯バルブを介し、湯張り温度設定値以上の湯水を浴槽への落とし込み湯張りをはじめる。それと同時に、太陽熱温水器と接続する給水管より自動的に上水も注入し、設定値以上の湯水の温度を下げつつ吐出し、電源スイッチ液晶パネルに湯張り温度設定値以下の湯水の温度を示すと、電源スイッチは前記自動湯張り装置に電磁弁を閉じるように指示すると、前記自動湯張り装置は、電源スイッチ液晶パネルに示す湯水の温度が、湯張り温度設定器液晶パネルに示す設定値以下の湯水の温度を確認し、電磁弁を閉じて浴槽への湯水の落とし込みを中断すると、太陽熱温水器は湯張り温度設定値以上に湯水の再発生をつづける。このように連通連動する構成で湯張り温度設定値以上の湯水を繰り返し浴槽への落とし込みして湯張りを行い、流量計でカウントした湯水の量が、湯張り数量設定器液晶パネルに示す設定値に達したときに、湯張り数量設定器から前記自動湯張り装置に、湯張り数量設定値に達したことを伝え電磁弁を閉じるように指示すると、前記自動湯張装置は、流量計でカウントした湯水の量が、湯張り数量設定器液晶パネルに示す設定値に達したことを確認すると、電磁弁を閉じる、それと同時に、自動的に前記自動湯張り装置を給湯装置に切り替えて点燈する前記給湯装置は、湯張り温度設定器液晶パネルに示す設定値を除いて、自動的に電源スイッチ液晶パネルに示す湯水の温度と、湯張り数量設定器液晶パネルに示す設定値をリセットして、太陽熱温水器に内設する温度計で湯水の温度を再検出し、電源スイッチ液晶パネルに湯水の温度を新たに示し、湯張り数量設定器液晶パネルに、前記給湯装置が保存する湯水量の設���値を新たに示して記憶すると、電源スイッチをオフして浴槽への湯張りを終了する。なお、太陽熱温水器は貯湯する設定値をリセットされた湯張り温度設定値前後の湯水をさらに発生し、夜入浴したときに、浴室給湯に湯水を堤供することができる。
【００１２】  上記第１の課題解決手段による作用は、前記自動湯張り装置で湯水が高温に発生することをふせぐ湯張り温度設定値を設け、湯張り温度設定値以上の温度と湯張り温度設定値以下の温度の中で、発生と吐出を繰り返す湯水の発生間隔を短縮し、湯張温度設定値以上の湯水を先行して浴槽への落とし込む湯水の温度は一定し、湯張る湯数量も一定すると浴槽から溢れ出ることもないので使用者に安心感を与えることができる、それと、湯張りを終了した後も、太陽熱温水器内に貯湯するリセットされた湯水を再発生し、夜入浴したときに洗髪やシヤワー等に堤供することができる湯水は、電気やガス等を用いる補助熱源器の運転を軽減し省エネするという効果を発揮する。
【００１３】  そして、本発明は上記第２の目的達成するために太陽熱温水器を用いた前記給湯装置は、前記遠隔制御するリモコンに、電源スイッチ液晶パネルと、湯張り温度設定器液晶パネルと、湯張り数量設定器液晶パネルと、電磁弁手動スイッチと、給湯ポンプ手動スッチと、警報装置を配設し、太陽熱温水器に湯水の温度を検出する温度計を内設し、前記自動湯張り装置本体を貫通する給湯の上部で分岐する水平管に常閉バルブを設け、バイパス回路を形成し、第１常開バルブの下に、ストレーと、電磁弁と、逆止弁と、給湯ポンプと、流水スイッチと、流量計と、逆止弁付きバキーュムブレーカを配設し、第２常開バルブの下でバイパス回路と合流する給湯管は、図１の温度調節弁付き水栓と接続する、同水栓の給湯バルブは開き置いても湯水が吐出しない手段を備え湯圧が低いことに起因する問題や湯水量が不足するという問題を解決し、使い勝手のよい省エネする湯水を浴室給湯に堤供することができるように構成としたものである。
【００１４】  また、第２の解決手段による作用は次の通りである。すなわち、太陽熱温水器に貯湯するリセットされた湯張り温度設定値前後の湯水を夜入浴するまでさらに発生する湯水の温度は、前記遠隔制御するリモコンの電源スイッチをオンすると、液晶パネルに湯水の温度を示し、湯張り数量設定器液晶パネルに貯湯する湯水量を示し、湯張り温度設定器液晶パネルに設定値を継続して示す。なお、貯湯する湯水で火傷するような高温に発生したときは、電源スイッチ液晶パネルに示す湯水の温度を赤色で点滅し注意を促す湯水を用いるときでも、浴室に設ける給水バルブを手動で閉じ太陽熱温水器に自動注入する上水を遮断して貯湯する湯水の温度を維持する。その湯水を使い勝手のよい湯水にして浴室給湯に堤供する手段は、湯水の温度を適温に調整することができる温度調節弁付き水栓の開きおいた給湯バルブを手動で閉じ温度調節弁で湯水の温度を選択し、給水バルブを手動で開き、上水を吐出させて前記遠隔制御するリモコンの電磁弁スイッチをオンし、給湯ポンプスイッチをオンして、給湯バルブを開くと太陽熱温水器の湯水は、前記給湯装置を貫通する給湯管の上部に設ける分岐したバイパス回路に流入せず、第１常開バルブの下に設ける、ストレーナで錆など除去し開かれた電磁弁から逆止弁と、給湯ポンプを通り流水スイッチを通過したときに湯水の流れを感知し、給湯ポンプを起動すると常圧を超える給湯圧を有する湯水が、給湯管内を上流に逆流すると逆止弁でふせぎ、下流に吐出する湯水が流量計を通過したときに、湯張数量設定器液晶パネルに示す湯数量のマイナスカウントを行い、逆止弁付きバキーュムブレーカを通過し給湯管と接続する温度調節弁付き水栓で上水と混合し、選択した温度で吐出する給湯圧を有した湯水は、洗髪やシヤワー等に用いると肌に適度の刺激をもたらし使い勝手が向上するとともに、電気やガスを用いる補助熱源器の運転を軽減して省エネする湯水を提供することができる。
【００１５】  湯水の使用を一時停止するときは、温度調節弁付き水栓の給水バルブと給湯バルブを手動で閉じると自動的に給湯ポンプも停止する、閉じたバルブを手動で開くと自動的に給湯ポンプが起動し選択した温度の湯水を提供することができる。
【００１６】  また、強制的に終了するときは、電源スイッチをオフすると、自動的に湯水量の設定値を前記給湯装置の所定置に戻し、前記自動湯張り装置に切り替えて戻すと消燈して終了する、なお、温度調節弁付き水栓の給水バルブを手動で閉じ、給湯バルブは開きおいて、浴室に設ける太陽熱温水器給水バルブを手動で開きおいて上水を注入しておくと、翌日、電源スイッイをオンすると、前記自動湯張装置は自動的に湯張りをはじめることができる。
【００１７】  また、太陽熱温水器に貯湯するリセットされた湯水を連続して使用すると流量計で、湯張り数量設器液晶パネルに示す湯水量のマイナスカウントし、ゼロを示す前に警報装置から音声で使用者に湯水量の減量と、太陽熱温水器に給水を促し、自動的に給湯ポンプと電磁弁を止めて湯水の提供は終了する、使用者は太陽熱温水器の給水バルブを手動で開きおくと注入する水温を温度計で検出し、湯張り温度設定器で注水を確認すると、自動的に湯水量を前記給湯装置の所定置に戻し、前記自動湯張り装置に切り替えて戻すと、自動的に電源スイッチをオフして給湯は終了する。翌日電源スイッチをオンすると、前記自動湯張装置は自動的に湯張りをはじめることができる。
【００１８】  第２の課題解決手段による作用は、湯張りを先行する手段で湯張りを終了し後も、太陽熱温水器で貯湯する、リセットされた湯張り温度設定値前後の湯水を発生して、夜入浴したときに浴室給湯に堤供する湯水は、従来の太陽熱温水器で発生する湯水量の不足を解決し、湯水が高温に発生したときでも洗髪やシヤワー等に堤供する湯水の温度を適温に調整する手段を備え、常圧を超える給湯圧を有し吐出する湯水の使い勝手が向上するとともに、電気やガス等を用いる補助熱源器の運転を軽減し省エネするという効果を発揮する。
【発明の効果】
【００１９】  上述したように本発明の前記自動湯張り装置は、太陽熱温水器で発生する湯水は湯張り温度設定値で制御し、湯張り数量設定値に達すると電磁弁を閉じる手段は、浴槽への湯張る湯水の温度が一定し太陽熱温水器に湯水の追加をもたらし湯張り作業を軽減することができる。また、前記給湯装置は、リセットされた太陽熱温水器内に貯湯する湯水を発生し夜入浴したときに堤供する湯水は電気やガス等を用いる補助熱源器の運転を軽減し、省エネするという湯水を提供できる。
【００２０】  また、太陽熱温水器内にリセットされた湯張り温度設定値前後の湯水が、夜入浴したときに高温に発生し、電源スイッチ液晶パネルを点滅し赤色で湯水の温度を示したときは温度調節弁付き水栓から吐出する給湯圧を有する湯水の量は、太陽熱温水器に貯湯する湯水量以上に自然に増量するという効果を発揮するものである。
【００２１】  また、前記自動湯張り装置本体を貫通する給湯管の上部で分岐する水平管に、常閉バルブを設けるバイパス回路を形成する立て管は、通水時エアポケット状態になる手段は、給湯ポンプや電磁弁と逆止弁などの運転時に起きる水撃波や騒音を緩和するエアクッション的に働き水撃による装置の誤作動や部品の破損を防ぐという効果を発揮する。
【００２２】  また、前記自動湯張り装置に設ける、給湯ポンプや電磁弁等の部品の故障や停電などのトラブルが発生しても、太陽熱温水器で発生する湯水は前記自動湯張装置を貫通する第１常開バルブの上で分岐した水平管に設ける常閉バルブを開くと、湯水はバイパス回路を通り第２常開バルブの下で、貫通する給湯管と合流し逆止弁付きバキーュムブレーカを通過し、浴室に堤供するという効果を発揮する。
【００２３】  太陽熱温水器で発生中の湯水が、湯張温度設定値以上の温度に達していないと前記自動湯張装置は、電磁弁を閉じて待機を続けるため電磁弁を開く必要が生じたときに前記遠隔制御するリモコンの電源スイッチをオンして、電磁弁スイッチを手動でオンすると電磁弁は開かれて温度調節弁付き水栓給湯バルブを介し浴槽への設定値以下の温度を有する湯水を提供するという効果を発揮する。
【図面の簡単な説明】
【００２４】
【図１】前記自動湯張り装置と前記給湯装置の接続図
【図２】前記自動湯張り装置と前記給湯装置を構成する内部構造と前記リモコン装置の配設図
【図３】本発明の前記自動湯張り装置の実施形態の制御動作を示すフローチャート
【発明を実施するための形態】
【００２５】  以下、本発明の実施形態を図１〜図３に基づいて説明する。
【００２６】  図においては、１は前記遠隔制御するリモコン１と、前記自動湯張装置２と、太陽熱温水器３に温度計４を内設し、温度調節弁付き水栓５は給湯バルブ５ａと、温度調節弁５ｂと、給水バルブ５ｃは上水管６と接続し、太陽熱温水器３に接続する上水管７にバルブ７ａを設けて、給湯管８からなる。
【００２７】  図においては、２は遠隔制御する前記遠隔制御するリモコン１に、電源スイッチ液晶パネル１ａと、湯張り温度設定器液晶パネル１ｂと、湯張り数量設定器液晶パネル１ｃと、電磁弁手動スイッチ１ｄと、給湯ポンプ手動スイッチ１ｅと、警報器１ｆを配設し、太陽熱温水器３に温度計４を内設し、前記自動湯張り装置本体を貫通する給湯管８の上部で分岐する水平管８に常閉バルブ１７を設けてバイパス回路１８を形成し、第１常開バルブ９ａの下に、ストレーナ１０、電磁弁１１、逆止弁１２、給湯ポンプ１３、流水スイッチ１４、流量計１５、逆止弁付きバキーュムブレーカ１６、配設して、第２常開バルブ９ｂの下でバイパス回路１８と合流する給湯管８は、図１の温度調節弁付き水栓５と接続し、制御装置１９を備えて、前記自動湯張り装置２は前記給湯装置２ａを共有するが異なる方法で制御する手段を設けている。
【００２８】  図においては、３は実施形態の制御動作を示すフローチャートの説明をする。
電源スイッチ１０１でオンすると、太陽熱温水器３に内設する温度計１０２で湯水の温度を検出し、電源スイッチ１０１液晶パネルに湯水の温度１ａａを示す。次に、湯張り温度設定器１０３に、浴槽２０への湯水を落とし込む温度１ｂｂを設定すると液晶パネルに設定値１ｂｂを示す。その次に、湯張り数量設定器１０４に、浴槽２０への湯水を落とし込む湯水量１ｃｃを設定し液晶パネルに設定値１ｃｃを示すと、前記自動湯張り装置１０６によって電磁弁１０５を開き湯張りはじめる準備は整う。しかし、電源スイッチ１０１液晶パネルに示す湯水の温度１ａａが、湯張り温度設定器１０３液晶パネルに設定値１ｂｂ以下の湯水の温度１ａａを示しつづけている間は、電磁弁１０５を閉じ太陽熱温水器３から湯水の吐出をふせぎ待機する。太陽熱温水器３は、引きつづき湯張り温度設定値１ｂｂ以下の湯水の発生を行い、電源スイッチ１０１液晶パネルに湯張り温度設定値１ｂｂ以上の湯水の温度を示すと、電源スイッチは、前記自動湯張り装置に電磁弁を開くように指示すると、前記自動湯張り装置１０６は、電源スイッチ１０１液晶パネルに示す湯水の温度１ａａが、湯張り温度設定器１０３液晶パネルに示す設定値１ｂｂ以上に発生した湯水の温度１ａａを確認し、電磁弁１０５を開くと太陽熱温水器３の湯水は前記自動湯張り装置１０６を貫通する給湯管８の上部に設ける分岐したバイパス回路１８に流入せず、第１常開バルブ９ａを介し、ストレーナ１０で錆など除去し、開かれた電磁弁１０５を通り流量計１０７で湯水の量をカウントして、逆止弁付きバキーュムブレーカ１６を通過して温度調節弁付き水栓５の開きおいた給湯バルブ５ａを介し、湯張り温度設定値１ｂｂ以上の湯水を浴槽２０への落とし込み湯張りをはじめる。それと同時に、太陽熱温水器３と接続する給水管７より自動的に上水も注入し、設定値１ｂｂ以上の湯水の温度１ａａを下げつつ吐出し電源スイッチ１０１液晶パネルに湯張り温度設定値１ｂｂ以下の湯水の温度１ａａを示すと、電源スイッチ１０１は前記自動湯張り装置に電磁弁を閉じるように指示すると、前記自動湯張り装置１０６は、電源スイッチ１０１液晶パネルに示す湯水の温度１ａａが、湯張り温度設定器１０３液晶パネルに示す設定値１ｂｂ以下の湯水の温度を確認し、電磁弁１０５を閉じて浴槽２０への湯水の落とし込みを中断すると、太陽熱温水器３は湯張り温度設定値１ｂｂ以上に湯水の再発生をつづける。このように連通連動する構成で湯張り温度設定値１ｂｂ以上の湯水を繰り返し浴槽２０への落とし込みして湯張りを行い、流量計１０７でカウントした湯水の量１ｃｃが、湯張り数量設定器１０４液晶パネルに示す設定値１ｃｃに達したときに、湯張り数量設定器１０４から前記自動湯張り装置１０６に、湯張り数量設定値１ｃｃに達したことを伝え電磁弁１０５を閉じるように指示すると、前記自動湯張装置１０６は、流量計１０７でカウントした湯水の量１ｃｃが、湯張り数量設定器１０４液晶パネルに示す設定値１ｃｃに達したことを確認すると、電磁弁１０５を閉じる、それと同時に、自動的に前記自動湯張り装置１０６を給湯装置１０８に切り替えて点燈する前記給湯装置１０８は、湯張り温度設定器１０３液晶パネルに示す設定値１ｂｂを除いて、自動的に電源スイッチ１０１液晶パネルに示す湯水の温度１ａａと、湯張り数量設定器１０４液晶パネルに示す設定値１ｃｃをリセットして、太陽熱温水器３に内設する温度計１０２で湯水の温度１ｇを再検出し、電源スイッチ１０１液晶パネルに湯水の温度１ｇを新たに示し、湯張り数量設定器１０４液晶パネルに、前記給湯装置１０８が保存する湯水量の設定値１ｈを新たに示して記憶すると、電源スイッチ１０１をオフして浴槽２０への湯張りを終了する。
【００２９】  そして、本発明は上記第１の目的を達成するために太陽熱温水器３を用いた自動湯張装置２は、遠隔制御するリモコン１に、電源スイッチ１ａ液晶パネルと、湯張り温度設定器１ｂ液晶パネルと、湯張り数量設定器１ｃ液晶パネルを配設し、太陽熱温水器３に湯水の温度を検出する温度計４を内設し、自動湯張り装置本体２を貫通する給湯管８の上部で分岐する水平管８に常閉バルブ１７を設け、バイパス回路１８を形成する手段と、第１常開バルブ９ａの下に、ストレーナ１０と、電磁弁１１と、流量計１５と、逆止弁付きバキーュムブレーカ１６を配設し、第２常開バルブ９ｂの下でバイパス回路１８と合流する給湯管８は、図１の温度調節弁付き水栓５と接続する、同水栓の給湯５ａバルブは開き置いても湯水が吐出しない手段を備える、前記自動湯張り装置２を用いた湯張りを先行するように構成としたものである。
【００３０】  第１の課題解決手段による作用は次の通りである。すなわち、太陽熱温水器３で、発生する湯水を、自動的に浴槽２０への落とし込み湯張りを先行する手段は、前記遠隔制御するリモコン１の電源スイッチ１ａをオンすると、太陽熱温水器３に内設する温度計４で湯水の温度を検出し、電源スイッチ１ａ液晶パネルに湯水の温度１ａａを示す。次に、湯張り温度設定器１ｂに、浴槽２０への湯水を落とし込む温度１ｂｂを設定すると液晶パネルに設定値１ｂｂを示す。その次に、湯張り数量設定器１ｃに、浴槽２０への湯水を落とし込む湯水量１ｃｃを設定し液晶パネルに設定値１ｃｃを示すと、前記自動湯張り装置２によって電磁弁１１を開き湯張りはじめる準備は整う。しかし、電源スイッチ１ａ液晶パネルに示す湯水の温度１ａａが、湯張り温度設定器１ｂ液晶パネルに設定値１ｂｂ以下の湯水の温度１ａａを示しつづけている間は、電磁弁１１を閉じ太陽熱温水器３から湯水の吐出をふせぎ待機する。太陽熱温水器３は、引きつづき湯張り温度設定値１ｂｂ以下の湯水の発生を行い、電源スイッチ１ａ液晶パネルに湯張り温度設定値１ｂｂ以上の湯水の温度１ａａを示すと、電源スイッチ１ａは、前記自動湯張り装置２に電磁弁１１を開くように指示すると、前記自動湯張り装置２は、電源スイッチ１ａ液晶パネルに示す湯水の温度１ａａが、湯張り温度設定器１ｂ液晶パネルに示す設定値１ｂｂ以上に発生した湯水の温度１ａａを確認し、電磁弁１１を開くと太陽熱温水器３の湯水は前記自動湯張り装置２を貫通する給湯管８の上部に設ける分岐したバイパス回路１８に流入せず、第１常開バルブ９ａを介し、ストレーナ１０で錆など除去し、開かれた電磁弁１１を通り流量計１５で湯水の量をカウントして、逆止弁付きバキーュムブレーカ１６を通過して温度調節弁付き水栓５の開きおいた給湯バルブ５ａを介し、湯張り温度設定値１ｂｂ以上の湯水を浴槽２０への落とし込み湯張りをはじめる。
それと同時に、太陽熱温水器３と接続する給水管７より自動的に上水も注入し、設定値１ｂｂ以上の湯水の温度を下げつつ吐出し、電源スイッチ１ａ液晶パネルに湯張り温度設定値１ｂｂ以下の湯水の温度１ａａを示すと、電源スイッチ１ａは前記自動湯張り装置２に電磁弁１１を閉じるように指示すると、前記自動湯張り装置２は、電源スイッチ１ａ液晶パネルに示す湯水の温度が１ａａ、湯張り温度設定器１ｂ液晶パネルに示す設定値１ｂｂ以下の湯水の温度を確認し、電磁弁１１を閉じて浴槽２０への湯水の落とし込みを中断すると、太陽熱温水器３は湯張り温度設定値１ｂｂ以上に湯水の再発生をつづける。このように連通連動する構成で湯張り温度設定値１ｂｂ以上の湯水を繰り返し浴槽２０への落とし込みして湯張りを行い、流量計１５でカウントした湯水の量が、湯張り数量設定器１ｃ液晶パネルに示す設定値１ｃｃに達したときに、湯張り数量設定器１ｃから前記自動湯張り装置２に、湯張り数量設定値１ｃｃに達したことを伝え電磁弁１１を閉じるように指示すると、前記自動湯張装置２は、流量計１５でカウントした湯水の量１ｃｃが、湯張り数量設定器１ｃ液晶パネルに示す設定値１ｃｃに達したことを確認すると、電磁弁を閉じる。それと同時に、自動的に前記自動湯張り装置２を給湯装置２ａに切り替えて点燈する前記給湯装置２ａは、湯張り温度設定器１ｂ液晶パネルに示す設定値１ｂｂを除いて、自動的に電源スイッチ１ａ液晶パネルに示す湯水の温度１ａａと、湯張り数量設定器１ｃ液晶パネルに示す設定値１ｃｃをリセットして、太陽熱温水器３に内設する温度計４で湯水の温度１ｇを再検出し、電源スイッチ１ａ液晶パネルに湯水の温度１ｇを新たに示し、湯張り数量設定器１ｃ液晶パネルに、前記給湯装置２ａが保存する湯水量の設定値１ｈを新たに示して記憶すると、電源スイッチ１ａをオフして浴槽２０への湯張りを終了する。なお、太陽熱温水器３は貯湯する設定値１ｂｂをリセットされた湯張り温度設定値１ｂｂ前後の湯水をさらに発生し、夜入浴したときに浴室給湯に湯水を堤供することができる。
【００３１】  上記第１の課題解決手段による作用は、前記自動湯張り装置２で湯水が高温に発生することをふせぐ湯張り温度設定値１ｂｂを設け、湯張り温度設定値１ｂｂ以上の温度と湯張り温度設定値１ｂｂ以下の温度の中で、発生と吐出を繰り返す湯水の発生間隔を短縮し、湯張温度設定値１ｂｂ以上の湯水を先行して浴槽２０への落とし込む湯水の温度１ｂｂは一定し、湯張る湯数の量１ｃｃも一定すると浴槽２０から溢れ出ることもないので使用者に安心感を与えることができる、それと、湯張りを終了した後も、太陽熱温水器３に貯湯するリセットされた湯水を再発生し、夜入浴したときに洗髪やシヤワー等に堤供することができる湯水は、電気やガス等を用いる補助熱源器の運転を軽減し省エネするという効果を発揮する。
【００３２】  そして、本発明は上記第２の目的達成するために太陽熱温水器３を用いた前記給湯装置２ａは、前記遠隔制御するリモコン１に、電源スイッチ１ａ液晶パネルと、湯張り温度設定器１ｂ液晶パネルと、湯張り数量設定器１ｃ液晶パネルと、電磁弁手動スイッチ１ｄと、給湯ポンプ手動スッチ１ｅと、警報装置１ｆを配設し、太陽熱温水器３に湯水の温度を検出する温度計４を内設し、前記自動湯張り装置本体２を貫通する給湯８の上部で分岐する水平管８に常閉バルブ１７を設け、バイパス回路１８を形成し、第１常開バルブ９ａの下に、ストレーナ１０と、電磁弁１１と、逆止弁１２と、給湯ポンプ１３と、流水スイッチ１４と、流量計１５と、逆止弁付きバキーュムブレーカ１６を配設し、第２常開バルブの下でバイパス回路１８と合流する給湯管８は、図１の温度調節弁付き水栓５と接続する、同水栓の給湯バルブ５ａは開き置いても湯水が吐出しない手段を備え湯圧が低いことに起因する問題と、湯水量が不足する問題を解決して使い勝手のよい省エネする湯水を浴室給湯に供給する手段を備える前記給湯装置２ａ構成としたものである。
【００３３】  第２の解決手段による作用は次の通りである。すなわち、前記給湯装置２ａで管理する太陽熱温水器３内に貯湯する制御されない湯張温度設定値１ｂｂ前後の湯水を夜入浴するまでさらに発生した湯水の温度１ｇは、前記遠隔制御するリモコン１の電源スイッチ１ａをオンすると、電源スイッチ１ａ液晶パネルに湯水の温度１ｇを示し、湯張り数量設定器１ｃ液晶パネルに貯湯する湯水量１ｈを示し、湯張り温度設定器１ｂ液晶パネルに設定値１ｂｂを継続して示す。なお、貯湯する湯水で火傷するような高温に発生したときは、電源スイッチ１ａ液晶パネルに示す湯水の温度１ｇを赤色で点滅し注意を促す湯水を用いるときでも、浴室に設ける給水バルブ７ａを手動で閉じて太陽熱温水器３に、自動注入する上水を遮断し貯湯する湯水の温度を維持する。しかし、貯湯する湯水を浴室給湯に用いるときは、湯水の温度を適温に調整することができる温度調節弁付き水栓５の開きおいた給湯バルブ５ａを手動で閉じ温度調節弁５ｂで湯水の温度を選択し、給水バルブ５ｃを手動で開き、上水を吐出させて前記遠隔制御するリモコン１の電磁弁手動スイッチ１ｄをオンし、給湯ポンプ手動スイッチ１ｅをオンして、給湯バルブ５ａを開くと太陽熱温水器３の湯水は、前記給湯装置２ａを貫通する給湯管８の上部に設ける分岐するバイパス回路に侵入せず下流に直進して第１常開バルブ９ａの下に設ける、ストレーナ１０で錆など除去し開いた電磁弁１１から逆止弁１２と、給湯ポンプ１３を通り流水スイッチ１４を通過したときに湯水の流出を感知し、給湯ポンプ１３を起動すると常圧を超える給湯圧を有する湯水が、給湯管内８を上流に逆流すると逆止弁１２でふせぎ、下流に吐出する湯水が流量計１５を通過したときに、湯張数量設定器１ｃ液晶パネルに示す湯数量１ｈのマイナスカウントを行い、逆止弁付きバキーュムブレーカ１６を通過し給湯管８と、接続する温度調節弁付き水栓５で上水と混合し、選択した温度で吐出する給湯圧を有した湯水は、洗髪やシヤワー給湯に用いると肌に適度の刺激をもたらし使い勝手が向上するとともに、電気やガスを用いる補助熱源器の運転を軽減して省エネする湯水を供給することができる。
【００３４】  湯水の使用を一時停止するときは、温度調節弁付き水栓５の給水バルブ５ｃと給湯バルブ５ａを手動で閉じると自動的に給湯ポンプ１３も停止する、閉じたバルブを手動で開くと自動的に給湯ポンプ１３が起動し選択した温度の湯水を提供することができる。
【００３５】  また、強制的に終了するときは、電源スイッチ１ａをオフすると、自動的に湯水量の設定値１ｇを前記給湯装置２ａの所定置に戻し、前記自動湯張り装置２に切り替えて戻すと消燈して終了する、なお、温度調節弁付き水栓５の給水バルブ５ｃを手動で閉じ、給湯バルブ５ａは開きおいて、浴室に設ける太陽熱温水器３の給水バルブ７ａを手動で開きおいて上水を注入しておくと、翌日電源スイッイ１ａをオンすると、前記自動湯張装置２は自動的に湯張りをはじめることができる。
【００３６】  また、太陽熱温水器３に貯湯するリセットされた湯水を連続して使用すると流量計１５で、湯張り数量設器１ｃ液晶パネルに示す湯水量１ｈのマイナスカウントし、ゼロを示す前に警報装置１ｆから音声で使用者に湯水量１ｈの減量と、太陽熱温水器３に給水を促し、自動的に給湯ポンプ１３と電磁弁１１を止めて湯水の提供は終了する、使用者は太陽熱温水器３の給水バルブ７ａを手動で開きおくと注入する水温を温度計４で検出し、湯張り温度設定器１ｂで注水を確認すると、自動的に湯水量１ｈを前記給湯装置２の所定置に戻し、前記自動湯張り装置２に切り替えて戻すと、自動的に電源スイッチをオフして給湯は終了する。翌日電源スイッチ１ａをオンすると、前記自動湯張装置２は自動的に湯張りをはじめることができる。
【００３７】  第２の課題解決手段による作用は、湯張りを先行する手段で湯張りを終了し後も、太陽熱温水器３で貯湯する、リセットされた湯張り温度設定値１ｂｂ前後の湯水を発生して、夜入浴したときに浴室給湯に堤供する湯水は、従来の太陽熱温水器で発生する湯水量の不足を解決し、湯水が高温に発生したときでも洗髪やシヤワー等に堤供する湯水の温度を適温に調整する手段を備え、常圧を超える給湯圧を有し吐出する湯水の使い勝手が向上するとともに、電気やガス等を用いる補助熱源器の運転を軽減し省エネするという効果を発揮する。
【００３８】
【符号の説明】
【００３９】１    リモコン                            １９  制御装置
１ａ  電源スイッチと液晶パネル            ２０  浴槽
１ｂ  湯張温度設定器と液晶パネル
１ｃ  湯張数量設定器と液晶パネル
１ｄ  電磁弁手動スイッチ
１ｅ  給湯ポンプ手動スイッチ
１ｆ  警報装置
２    自動湯張り装置
２ａ  給湯装置
３    開放型太陽熱温水器
４    温度計
５    温度調節弁付き水栓
５ａ  給湯バルブ
５ｂ  温度調節弁
５ｃ  給水バルブ
６    給水管
７    給水管
７ａ  給水バルブ
８    給湯管
９ａ  第１常開バルブ
９ｂ  第２常開バルブ
１０  ストレーナ
１１  電磁弁
１２  逆止弁
１３  給湯ポンプ
１４  水流スイッチ
１５  流量計
１６  逆仕弁付きバキーュムブレーカ
１７  常閉バルブ
１８  バイパス回路
【図１】
2014074580.tif 000003
【図２】
2014074580.tif 000004
【図３】
2014074580.tif 000005
【手続補正書】
【提出日】平成25年11月24日(2013.11.24)
【手続補正１】
【補正対象書類名】明細書
【補正対象項目名】全文
【補正方法】変更
【補正の内容】
【発明の詳細な説明】
【技術分野】
【０００１】  本発明は、開放型太陽熱温水器を用いた浴槽への自動湯張り方法に関する。
【背景技術】
【０００２】  従来の開放型太陽熱温水器で発生する湯水を浴槽への適温適量にして、湯張りを行うときは浴室に数回足を運び給水バルブや給湯バルブを閉じるタイミングを確認する必要があるために湯張りが面倒で、タイミングを見逃すと電気やガス等を用いる補助熱源器で再発生することになる。また、湯張り終わると湯水を提供できないために、補助熱源器を運転して使い勝手の良い湯水を給湯に用いることになる。【０００３】  特許文献１に太陽熱温水器の湯を、適法、火傷の危険性のない適温の湯に調節して吐出することのできる風呂給湯システムを提供する。と示されている（例えば、特許文献１、参照。）。
【先行技術文献】
【特許文献】
【０００４】
【特許文献１】特開平１０−２０５８９３
【発明の概要】
【発明が解決しようとする課題】
【０００５】  上記のように構成した風呂給湯システムでは、停電や故障などのトラブルが発生すると太陽熱温水器の湯水は浴槽への湯張ることができないという問題がある。【０００６】  以上に述べた一般家庭で用いる従来の開放型太陽熱温水器では、日中発生した湯水を夜に浴槽への湯張るために高温に発生することになる。【０００７】  本発明は、このような従来の構成が有していた問題を解決しようとするものであり、使用者が行う面倒な湯張りを、自動操作で設定した湯水量に達するまで湯張りを先行する方法で設定温度以上の湯水を繰り返し浴槽に貯湯し湯張りを終了した後も、開放型太陽熱温水器（以降、太陽熱温水器という）。本体に貯湯する湯水をさらに発生し増量する省エネ効果のある湯水を給湯装置に委ねる。そして、使用者を湯張りから解放する自動湯張り装置を実現すること第１の目的とするものである。【０００８】  また、本体に貯湯する湯水の湯温と、給湯に提供できる設定給湯温度と、本体に貯湯している設定貯湯量をリモコンに配設するそれぞれの液晶画面に示し、重力で吐出する低圧の湯水を加圧する手段と、高温に発生発した湯水を設定給湯温度に自動操作で調節する手段を備えて、給湯を終了した後に次回の湯張りを自動操作で行う前記給湯装置を実現することを第２の目的とするものである。
【課題を解決するための手段】
【０００９】  そして、本発明は上記第１の目的を達成するために自動操作で湯張りを先行する方法は、太陽熱温水器で発生する湯温を微弱な電流で検知するだけの機能を維持するサーミスタが事前に設定していた設定温度以上に発生した湯温を検知すると、電流を復元して前記リモコに配設する液晶画面に検知した湯温を示し、事前に設定していた設定温度を液晶画面に示し、事前に設定していた設定湯水量を液晶画面に示すと自動操作で給湯電磁弁の開閉動作を制御する前記自動湯張り装置が立ち上がると、検知した湯温を示す液晶画面より給湯電磁弁を開く規定の信号を前記自動湯張り装置に発信し、受信すると前記自動湯張り装置は給湯電磁弁を開くか否かを判断するために液晶画面に示す設定温度以上の湯温を確認して給湯電磁弁を開くと、太陽熱温水器の湯水は前記自動湯張り装置の本体を貫通する給湯管の上部で分岐した水平管に常閉バルブを設ける太い管の該バイパス管に侵入できない湯水は、一方の給湯管に設ける常開バルブによって出湯量を制御されてストレナーで塵など除去し流量計でカウントして第１逆止弁と給湯ポンプを介し、給湯電磁弁から重力で吐出する湯水を水流スイッチが検知し給湯ポンプを起動して加圧された湯水は第２逆止弁と、混合装置の下で貫通する給湯管と接続して形成する該バイパス回路を通過する湯水は湯温センサーを介し、事前に開きおいた専用水栓の蛇口から浴槽への設定温度以上の湯水を落とし込み湯張り始めると、同時に上水は専用水栓の開きおいた給水バルブを介して太陽熱温水器に自動給水を始め、設定温度以上の湯水は湯温を下げつつも湯張りをつづける湯水が、設定湯水量に達する前にサーミスタ４が設定温度以下の湯温を検知して液晶画面に湯温を示すと同液晶画面より、給湯電磁弁を閉じる規定の信号を前記自動湯張り装置に発信し、受信すると前記自動湯張り装置は給湯電磁弁を閉じるか否かを判断するために液晶画面に示す湯温が湯張り温度設定器液晶画面に示す設定温度以下の湯温を確認して給湯電磁弁を閉じて湯張りを中断すると、太陽熱温水器は設定温度以下の湯水の再発生を始める。このようにして設定温度以上の湯水を湯張り数量設定器液晶画面に示す設定湯水量に達するまで湯張りを繰り返し行い、流量計でカウントした湯水量が湯張り数量設定器液晶画面に示す設定湯水量に達すると同液晶画面より給湯電磁弁を閉じる規定の信号を前記自動湯張り装置に発信し、受信すると前記自動湯張り装置は給湯電磁弁を閉じるか否かを判断するために流量計でカウントした湯水量が液晶画面に示す設定湯水量に達したことを確認して給湯電磁弁を閉じ、自動的に電源スイッチをオフして湯張りを終了する後も、本体に貯湯する設定温度を解除された設定温度前後の湯水をさらに発生して増量する省エネ効果のある湯水を前記給湯装置に委ねる。このように構成する前記自動湯張り装置に備えた手段をもって第１の課題を解決するための手段としている。【００１０】  また、第２の解決手段は、入浴したときに太陽熱温水器と接続する途中で分岐した給水管に設ける専用水栓の給水バルブを閉じ本体に貯湯する湯水の湯温を維持し、開きおいた専用水栓の給湯蛇口バルブを閉じて前記リモコンに配設する電源スイッチをオンすると、サーミスタは本��に貯湯する湯温を検知して液晶画面に湯温を示し、事前に設定していた設定給湯温度を湯張り温度設定器液晶画面に示し、事前に設定していた設定貯湯量を湯張り数量設定器液晶画面に示すと自動操作で設定温度の湯水を吐出する前記給湯装置が立ち上がり、液晶画面に示した湯温が湯張り温度設定器液晶画面に示す設定給湯温度以上に発生していると、液晶画面に示した湯温を赤色で点滅して使用者に注意をうながすと安全装置は給湯電磁弁をロックして開くことができないために、前記給湯装置は湯張り温度設定器液晶画面に示す設定給湯温度を基に、液晶画面に示した湯温と、水温センサーで検知した水温に基づき、混合装置の給水此例弁と給湯此例弁を自動操作で適正な位置に制御すると安全装置はロックを解除して点滅を解消したときに、給水給湯電磁弁スイッチをオンすると給水電磁弁を開き、水圧を有する上水は給水管に設ける減圧スイッチと、水温センサーと、逆止弁付バキュームブレーカと、混合装置の給湯管に設ける第２逆止弁を水圧で閉じる上水は水平管に常閉バルブを設ける太い管で形成する該バイパス回路をエアーポケットにして湯温センサーと、閉じた専用水栓の給湯バルブによって管内にとどまり、時差で給湯電磁弁を開くと本体に貯湯する湯水は前記給湯装置の本体を貫通する給湯管の上部で分岐した水平管に設ける常閉バルブによって侵入できない湯水は一方の給湯管に設ける常開バルブによって出湯量を制御されてストレナーで塵など除去し流量計と、第１の逆止弁と、給湯ポンプを介し、給湯電磁弁から重力で吐出する湯水は水流スイッチと、水圧で閉じられた第２逆止弁によって給湯管内にとどまる。従って、専用水栓の給湯蛇口バルブを開くと上水が吐出すると同時に湯水は第２逆止弁から吐出する湯水を水流スイッチが検知し給湯ポンプを起動して加圧したときにもし給水管や給湯管で水撃が発生するとバイパス管で吸収緩和し部品等の破損や誤作動を防ぎ、湯圧を有する湯水と水圧を有する上水は混合装置で湯張り温度設定器液晶画面に示す設定給湯温度で吐出する湯水が、設定給湯温度より高い湯温や低い湯温で吐出する湯水を湯温センサーが検知すると液晶画面に示す設定給湯温度と等しくなるように再度制御を行い、専用水栓の給湯蛇口から常圧を超える湯圧を有する使い勝手のよい湯水を吐出することができるが、このとき、流量計は湯張り数量設定器液晶画面に示す設定貯湯量のカウントダウンを始めており、事前に設定していた給湯停止水位までカウントすると、警報器より警報音を鳴らし自動的に給水電磁弁と給湯電磁弁を閉じて湯温を示す液晶画面と、設定給湯温度を示す液晶画面と、設定貯湯量を示す液晶画面を消灯して湯水の吐出を終了したときに、専用水栓の給水バルブを開きおいて本体に自動給水を行い、電源スイッチを手動でオフすると前記給湯装置は、サーミスタを微弱な電流で太陽熱温水器の湯水が設定温度以上に発生する湯温を検知するまで維持する。なお、湯張り温度設定器の液晶画面に示す設定温度と、液晶画面に示す湯温が等しいときは給水給湯電磁弁スイッチをオンすると、給湯電磁弁のみを開き本体に貯湯する湯水をそのまま加圧して給湯に用いることができる。このように構成する前記給湯装置に備えた手段をもって第２の課題を解��するための手段としている。【００１１】  上記第１の解決手段による作用は次の通りである。すなわち、使用者を湯張りから解放する前記自動湯張り装置は湯水が高温に発生する前に自動操作で設定温度以上の湯水を浴槽に貯湯し、湯張りを終了する後も、本体に貯湯する設定温度を解除された設定温度前後の湯水をさらに発生して増量する省エネ効果のある湯水を前記給湯装置に委ねる。また、停電や故障などのトラブルで装置を運転できないときは該バイパス管に設ける常閉バルブ開くと吐出する湯水を湯張りや給湯に提供することができる。【００１２】  そして、第２の解決手段による作用は、重力で吐出する低圧の湯水を加圧した湯水と水圧を有する上水が混合装置で設定給湯温度に調節して吐出する湯水が設定給湯温度より高い湯温や低い湯温で吐出する湯水を湯温センサーが検知すると湯張り温度設定器液晶画面に示す設定給湯温度と等しくなるように再度制御を行い、給湯蛇口から常圧を超える湯圧を有する使い勝手のよい湯水は電気やガス等を用いる補助熱源器の運転を減らし、省エネ効果のある使い勝手のよい湯水を提供できるという効果を発揮する。
【発明の効果】
【００１３】  上述したように、給水管に設ける減圧スイッチは湯張り中に断水するトラブルが発生し自動給水が行われないときでも、設定温度以上に発生すると湯張りを始めるために減圧を検知すると電源を切断して本体に湯水をとどめ、加熱部の空焚きとサーミスタを保護する安全対策を備えた太陽熱温水器を提供できる。【００１４】  また、液晶画面に示す湯温が、湯張り温度設定器液晶画面示す設定給湯温度以上に発生していると液晶画面に示した湯温を赤色で点滅して使用者に注意をうながすと、給湯電磁弁を開くことができない安全装置を備えて火傷によるケガを防ぐことができるという効果を発揮する。【００１５】  また、前記給湯装置は本体に貯湯する湯水の湯温を前記リモコンに配設する電源スイッチ液晶画面に示し、事前に設定していた湯張り温度設定器液晶画面に設定給湯温度を示し、事前に設定していた湯張り数量設定器液晶画面に設定貯湯量を示し、省エネ効果のある湯水は電気やガス等を用いる補助熱源機の運転を減らし、湯水の提供を終了すると自動的にサーミスタを微弱な電流で太陽熱温水器の湯水が設定温度以上に発生する湯温を検知するまで維持すると、次回の湯張りを自動操作で行うことができるという効果を発揮する。【００１６】  また、給湯時に起動する給湯ポンプや電磁弁等に起因するウオータハンマーが発生したときは、太い管で形成したエアーポケット状態の該バイパス管で吸収緩和して部品等の破損や誤作動を防ぐことができるという効果を発揮する。【００１７】  また、停電や故障などのトラブルが発生したときは、常閉バルブを開くと湯水は太い管で形成する該バイパス管を通り湯張りや給湯に提供することができるという効果を発揮する。
【図面の簡単な説明】
【００１８】
【図１】太陽熱温水器を用いた全体の系統図
【図２】前記自動湯張り装置及び前記給湯装置の内部構造図
【図３】前記リモコンに配設するスイッチ等の配設図
【発明を実施するための形態】
【００１９】  以下、本発明の実施の形態を図１〜３に基づいて説明する。
【００２０】  図においては、１は全体の系統図で、給水管１は途中で分岐して前記自動湯張り装置６及び前記給湯装置６ａの側面の給水管１と接続し、一方の給水管は専用水栓２に設ける給水バルブ２ａを介して太陽熱温水器３の自動開閉バルブと接続し、湯水の湯温を検知するサーミスタ４と、給湯管５は前記自動湯張り装置６及び前記給湯装置６ａの本体を貫通して浴室に設けるシヤワー水栓８と、専用水栓２に設ける給湯蛇口２ｂと接続して、前記リモコン７を示している。
【００２１】  図においては、２は前記自動湯張り装置６及び前記給湯装置６ａの内部構造図で、本体を貫通する給湯管５は上部で分岐した水平管に設ける常閉バルブ９によって湯水の侵入を防ぐ太い管の該バイパス管１０と、一方の給湯管５に設ける常開バルブ１１によって吐出する湯水量を制御して塵等を除去するストレナー１２と、吐出する湯水量をカウントする流量計１３と、第１逆止弁１４と、圧力スイッチを内設する給湯ポンプ１５と、給湯電磁弁１６と、水流スイッチ１７と、第２逆止弁１８と、混合装置１９の下で貫通する給湯管５と接続する該バイパス回路１０を形成して湯温センサー２０と、制御装置２１を備え、給水管１に減圧スイッチ２２と、水温センサー２３と、給水電磁弁２４と、逆止弁付バキュームブレーカ２５設けて混合装置１９と接続して、外気温により自動でスイッチをオンオフする発熱装置２６を設けている。
【００２２】  図においては、３は前記リモコン装置７に配設するスイッチ等の配設図で、電源スイッチ７ａと、サーミサスタ４が検知した湯水の湯温を示す液晶画面７ｂと、湯張り温度設定器から事前に設定した浴槽への湯張る湯水の設定湯度及び、事前に設定した給湯に提供する設定給湯温度を示す液晶画面７ｃと、湯張り数量設定器から事前に設定した浴槽への湯張る設定湯水量及び、事前に設定した本体３に貯湯する設定貯湯量を示す液晶画面７ｄと、給水電磁弁２４と給湯電磁弁１６を開閉する電磁弁スイッチ７ｅと、警報器７ｅを配設する。
【実施例１】
【００２３】  そして、本発明は上記第１の目的を達成するために自動操作で湯張りを先行する方法は、太陽熱温水器３で発生する湯温を微弱な電流で検知するだけの機能を維持するサーミスタ４が事前に設定していた設定温度以上に発生した湯温を検知すると、電流を復元して前記リモコ７に配設する液晶画面７ｂに検知した湯温を示し、事前に設定していた設定温度を液晶画面７ｃに示し、事前に設定していた設定湯水量を液晶画面７ｄに示すと自動操作で給湯電磁弁１６の開閉動作を制御する前記自動湯張り装置６が立ち上がると、検知した湯温を示す液晶画面７ｂより給湯電磁弁１６を開く規定の信号を前記自動湯張り装置６に発信し、受信すると前記自動湯張り装置６は給湯電磁弁１６を開くか否かを判断するために液晶画面７ｂに示す設定温度以上の湯温を確認して給湯電磁弁１６を開くと、太陽熱温水器３の湯水は前記自動湯張り装置６の本体を貫通する給湯管５の上部で分岐した水平管に常閉バルブ９を設ける太い管の該バイパス管１０に侵入できない湯水は、一方の給湯管５に設ける常開バルブ１１によって出湯量を制御されてストレナー１２で塵など除去し流量計１３でカウントして第１逆止弁１４と給湯ポンプ１５を介し、給湯電磁弁１６から重力で吐出する湯水を水流スイッチ１７が検知し給湯ポンプ１５を起動して加圧された湯水は第２逆止弁１８と、混合装置１９の下で貫通する給湯管５と接続して形成する該バイパス回路１０を通過する湯水は湯温センサー２０を介し、事前に開きおいた水栓２の蛇口２ｂから浴槽への設定温度以上の湯水を落とし込み湯張り始めると、同時に上水は水栓２の開きおいた給水バルブ２ａを介して太陽熱温水器３に自動給水を始め、設定温度以上の湯水は湯温を下げつつも湯張りをつづける湯水が、設定湯水量に達する前にサーミスタ４が設定温度以下の湯温を検知して液晶画面７ｂに湯温を示すと同液晶画面７ｂより、給湯電磁弁１６を閉じる規定の信号を前記自動湯張り装置６に発信し、受信すると前記自動湯張り装置６は給湯電磁弁１６を閉じるか否かを判断するために液晶画面７ｂに示す湯温が湯張り温度設定器液晶画面７ｃに示す設定温度以下の湯温を確認して給湯電磁弁１６を閉じて湯張りを中断すると、太陽熱温水器３は設定温度以下の湯水の再発生を始める。このようにして設定温度以上の湯水を湯張り数量設定器液晶画面７ｄに示す設定湯水量に達するまで湯張りを繰り返し行い、流量計１３でカウントした湯水量が湯張り数量設定器液晶画面７ｄに示す設定湯水量に達すると同液晶画面７ｄより給湯電磁弁１６を閉じる規定の信号を前記自動湯張り装置６に発信し、受信すると前記自動湯張り装置６は給湯電磁弁１６を閉じるか否かを判断するために流量計１３でカウントした湯水量が液晶画面７ｄに示す設定湯水量に達したことを確認して給湯電磁弁１６を閉じ、自動的に電源スイッチ７ａをオフして湯張りを終了する後も、本体３に貯湯する設定温度を解除された設定温度前後の湯水をさらに発生して増量する省エネ効果のある湯水を前記給湯装置６ａに委ねる。このように構成する前記自動湯張り装置６に備えた手段をもって第１の課題を解決するための手段としている。
【実施例２】
【００２４】  また、第２の解決手段は、入浴したときに太陽熱温水器３と接続する途中で分岐した給水管１に設ける水栓２の給水バルブ２ａを閉じ本体３に貯湯する湯水の湯温を維持し、開きおいた水栓２の給湯蛇口バルブ２ｂを閉じて前記リモコン７に配設する電源スイッチ７ａをオンすると、サーミスタ４は本体３に貯湯する湯温を検知して液晶画面７ｂに湯温を示し、事前に設定していた設定給湯温度を液晶画面７ｃに示し、事前に設定していた設定貯湯量を液晶画面７ｄに示すと自動操作で設定温度の湯水を吐出する前記給湯装置６ａが立ち上がり、液晶画面７ｂに示した湯温が液晶画面７ｃに示す設定給湯温度以上に発生していると、液晶画面７ｂに示した湯温を赤色で点滅して使用者に注意をうながすと安全装置は給湯電磁弁をロックして開くことができないために、前記給湯装置６ａは液晶画面７ｃに示す設定給湯温度を基に、液晶画面７ｂに示した湯温と、水温センサー２３で検知した水温に基づき、混合装置１９の給水此例弁と給湯此例弁を自動操作で適正な位置に制御すると安全装置はロックを解除して点滅を解消したときに、給水給湯電磁弁スイッチ７ｅをオンすると給水電磁弁２４を開き、水圧を有する上水は給水管１に設ける減圧スイッチ２２と、水温センサー２３と、逆止弁付バキュームブレーカ２５と、混合装置１９の給湯管５に設ける第２逆止弁１８を水圧で閉じる上水は水平管に常閉バルブ９を設ける太い管で形成する該バイパス回路１０をエアーポケットにして湯温センサー２０と、閉じた水栓２の給湯バルブ２ｂによって管内にとどまり、時差で給湯電磁弁１６を開くと本体３に貯湯する湯水は前記給湯装置６ａの本体を貫通する給湯管５の上部で分岐した水平管に設ける常閉バルブ９によって侵入できない湯水は一方の給湯管５に設ける常開バルブ１１によって出湯量を制御されてストレナー１２で塵など除去し流量計１３と、第１の逆止弁１４と、給湯ポンプ１５を介し、給湯電磁弁１６から重力で吐出する湯水は水流スイッチ１７と、水圧で閉じられた第２逆止弁１８によって給湯管５の内にとどまる。従って、水栓２の給湯蛇口バルブ２ｂを開くと上水が吐出すると同時に湯水は第２逆止弁１８から吐出する湯水を水流スイッチ１７が検知し給湯ポンプ１５を起動して加圧したときにもし給水管１や給湯管５で水撃が発生するとバイパス管１０で吸収緩和し部品等の破損や誤作動を防ぎ、湯圧を有する湯水と水圧を有する上水は混合装置１９で液晶画面７ｃに示す設定給湯温度で吐出する湯水が、設定給湯温度より高い湯温や低い湯温で吐出する湯水を湯温センサー２０が検知すると液晶画面７ｃに示す設定給湯温度と等しくなるように再度制御を行い、水栓２の給湯蛇口２ｂから常圧を超える湯圧を有する使い勝手のよい湯水を吐出することができるが、このとき、流量計１３は湯張り数量設定器液晶画面７ｄに示す設定貯湯量のカウントダウンを始めており、事前に設定していた給湯停止水位までカウントすると警報器７ｆより警報音を鳴らし自動的に給水電磁弁２４と給湯電磁弁１６を閉じて湯温を示す液晶画面７ｂと、設定給湯温度を示す液晶画面７ｃと、設定貯湯量を示す液晶画面７ｄを消灯して湯水の吐出を終了したときに、水栓２の給水バルブ２ａを開きおいて本体���に自動給水を行い、電源スイッチ７ａを手動でオフすると前記給湯装置６ａは、サーミスタ４を微弱な電流で太陽熱温水器３の湯水が設定温度以上に発生する湯温を検知するまで維持する。なお、液晶画面７ｃに示す設定温度と、液晶画面７ｂに示す湯温が等しいときは給水給湯電磁弁スイッチ７ｅをオンすると、給湯電磁弁１６のみを開き本体３に貯湯する湯水をそのまま加圧して給湯に用いることができる。このように構成する前記給湯装置に備えた手段をもって第２の課題を解決するための手段としている。
【符号の説明】
【００２５】１    給水管
２    太陽熱温水器専用水栓  ２ａ  専用給水バルブ  ２ｂ専用給湯蛇口バルブ
３    太陽熱温水器
４    サーミスタ
５    給湯管
６    前記自動湯張り装置    ６ａ  前記給湯装置
７    前記リモコン          ７ａ  電源スイッチ  ７ｂ  液晶画面  ７ｃ  湯張り
温度設定器液晶画面    ７ｄ  湯張り数量設定器液晶画面      ７ｅ給水給湯
電磁弁スイッチ        ７ｆ  警報装置
８    シヤワー水栓
９    常閉バルブ
１０  該バイパス管
１１  常開バルブ
１２  ストレナー
１３  流量計
１４  第１逆止弁
１５  給湯ポンプ
１６  給湯電磁弁
１７  水流スイッチ
１８  第２逆止弁
１９  混合装置
２０  湯温センサー
２１  制御装置
２２  減圧スイッチ
２３  水温センサー
２４  給水電磁弁
２５  逆止弁付バキュームブレーカ
２６  発熱装置
【手続補正２】
【補正対象書類名】特許請求の範囲
【補正対象項目名】全文
【補正方法】変更
【補正の内容】
【特許請求の範囲】
【請求項１】
自動操作で湯張りを先行する方法は、太陽熱温水器で発生する湯温を微弱な電流で検知するだけの機能を維持するサーミスタが事前に設定していた設定温度以上に発生した湯温を検知すると、電流を復元して前記リモコに配設する液晶画面に検知した湯温を示し、事前に設定していた設定温度を湯張り温度設定器液晶画面に示し、事前に設定していた設定湯水量を湯張り数量設定器液晶画面に示すと自動操作で給湯電磁弁の開閉動作を制御する前記自動湯張り装置が立ち上がると、検知した湯温を示す液晶画面より給湯電磁弁を開く規定の信号を前記自動湯張り装置に発信し、受信した前記自動湯張り装置は給湯電磁弁を開くか否かを判断するために液晶画面に示す設定温度以上の湯温を確認して給湯電磁弁を開くと、太陽熱温水器の湯水は前記自動湯張り装置の本体を貫通する給湯管の上部で分岐した水平管に常閉バルブを設ける太い管の該バイパス管に侵入できない湯水は、一方の給湯管に設ける常開バルブで出湯量を制御されてストレナーで塵など除去し流量計でカウントして第１逆止弁と給湯ポンプを介し、給湯電磁弁から重力で吐出する湯水を水流スイッチで検知して給湯ポンプを起動し加圧された湯水は第２逆止弁と、混合装置の下で貫通する給湯管と接続した該バイパス回路を通過する湯水は湯温センサーを介し、事前に開きおいた専用水栓の蛇口バルブから浴槽への設定温度以上の湯水を落とし込む、湯張りを先行する方法を特徴とする太陽熱温水器を用いた前記自動湯張り装置。
【請求項２】
設定温度以上の湯水を設定湯水量に達するまで湯張りを繰り返し行い、流量計でカウントした湯水量が湯張り数量設定器液晶画面に示す設定湯水量に達すると同液晶画面より給湯電磁弁を閉じる規定の信号を前記自動湯張り装置に発信し、受信した前記自動湯張り装置は給湯電磁弁を閉じるか否かを判断するために流量計でカウントした湯水量が湯張り数量設定器液晶画面に示す設定湯水量に達したことを確認して給湯電磁弁を閉じ、電源スイッチをオフして湯張りを終了する後も、太陽熱温水器は本体に貯湯している設定温度を解除された設定温度前後の湯温の湯水をさらに発生して増量する省エネ効果のある湯水を前記給湯装置に委ねることを特徴とする請求項２記載の前記自動湯張り装置。
【請求項３】
流量計は湯張り数量設定器液晶画面に示す設定貯湯量のカウントダウンを始めており、事前に設定していた給湯停止水位までカウントすると、警報器より警報音を鳴らし自動的に給水電磁弁と給湯電磁弁を閉じ全ての液晶画面を消灯して湯水の提供を終了したときに、専用水栓の給水バルブを開きおいて本体に自動給水を行い、手動で電源スイッチをオフすると前記給湯装置は、サーミスタを微弱な電流で太陽熱温水器の湯水が設定温度以上に発生する湯温を検知するまで維持し、次回の湯張りを自動操作で行うことを特徴とする請求項３記載の前記給湯装置。
【手続補正３】
【補正対象書類名】図面
【補正対象項目名】全図
【補正方法】変更
【補正の内容】
【図１】
2014074580.tif 000006
【図２】
2014074580.tif 000007
【図３】
2014074580.tif 000008